(57)【要約】【課題】浴室内に快適な入浴環境を作り出すことができるプロジェクションシステム、およびその表示制御方法を提供すること。【解決手段】プロジェクションシステム１は、コントロールパネル装置１０と、第１プロジェクター２０と、制御装置５０とを含む。コントロールパネル装置１０のバーコードリーダーは、入浴剤容器１００のバーコードから入浴剤の識別コードを読み出す。制御装置５０は、バーコードの読取データから入浴剤の識別コードを取得し、この識別コードに従って、入浴剤の種類に対応するコンテンツデータをコンテンツサーバー６０からダウンロードする。第１プロジェクター２０は、コンテンツデータを再生した映像コンテンツの画像を浴室の壁面Ｗに投影する。【選択図】図１
2010191243.tif 000002
【特許請求の範囲】
【請求項１】
浴室用のプロジェクションシステムであって、
浴室内に画像を投影する第１の投影装置と、
前記第１の投影装置を制御する制御装置と、
収容する入浴剤の種類を示す識別コードが埋め込まれた入浴剤容器から前記識別コードを読み取る読取装置と、
入浴剤の種類に対応するコンテンツデータを記録する記録装置と、を含み、
前記制御装置は、前記読み取られた識別コードに対応するコンテンツデータを前記記録装置から取得し、前記取得したコンテンツデータの画像を前記第１の投影装置に投影させることを特徴とするプロジェクションシステム。
【請求項２】
請求項１に記載のプロジェクションシステムにおいて、
前記浴室内に画像を投影する第２の投影装置をさらに備え、
前記第１の投影装置は、前記浴室の壁面に対して画像を投影し、
前記第２の投影装置は前記浴室の浴槽に対して画像を投影することを特徴とするプロジェクションシステム。
【請求項３】
請求項２に記載のプロジェクションシステムにおいて、
前記浴室の壁面に対して画像を投影する投影装置は、壁面の周辺に取り付けられ、前記壁面に入射させる光を前記壁面に沿う方向に進行させることを特徴とするプロジェクションシステム。
【請求項４】
請求項１ないし３のいずれか一項に記載のプロジェクションシステムにおいて、
前記コンテンツデータには、入浴剤の種類に対応する音声のデータが含まれ、
前記コンテンツデータの音声を出力する音声出力装置、をさらに備えることを特徴とするプロジェクションシステム。
【請求項５】
浴室内に画像を投影する第１の投影装置と、
入浴剤の種類に対応するコンテンツデータを記録する記録装置と、を含むプロジェクションシステムの表示制御方法であって、
収容する入浴剤の種類を示す識別コードが埋め込まれた入浴剤容器から前記識別コードを読み取り、前記読み取った識別コードに対応するコンテンツデータを前記記録装置から取得して、前記取得したコンテンツデータの画像を前記第１の投影装置に投影させることを特徴とするプロジェクションシステムの表示制御方法。
【発明の詳細な説明】
【技術分野】
【０００１】
本発明は、浴室用のプロジェクションシステム、およびその表示制御方法に関する。
【背景技術】
【０００２】
従来、プロジェクターを用いて浴室内に映像を投影することにより、ビデオ画像やコンピューター画像を見ることができ、入浴者に快適な入浴環境を提供できるようにするシステムが知られている（例えば、特許文献１参照）。
【０００３】
また、特許文献２に記載の技術は、外部の風物像を取り込んで浴室内のスクリーンに投影することにより、入浴者が露天風呂の雰囲気を感じ取れるようにするものである。
【先行技術文献】
【特許文献】
【０００４】
【特許文献１】国際公開第２００５／１１４３２０号パンフレット
【特許文献２】特開２００１−１０７５８６号公報
【発明の概要】
【発明が解決しようとする課題】
【０００５】
しかしながら、特許文献１，２の技術では、浴槽のお湯に入れる入浴剤と、浴室内に作り出される雰囲気に関して考慮されていない。浴室内の雰囲気は、浴室の壁面に投影された映像、浴槽、お湯の色や匂い等が一体となって作り出されるものであるため、入浴剤を入れることによってお湯の色や匂いが変わった場合、お湯の色や匂いに応じて、浴室内に作り出すべき雰囲気が変わってしまう。このため、入浴剤の色や匂い等の成分に合った映像を浴室内に投影表示することが望まれるが、特許文献１，２の技術では、入浴剤に合わせて映像の表示を制御することはできない。また、入浴する者等が、入浴剤に合った映像を適宜選択しようとしても、この選択自体が難しくもあり大変面倒である。
【課題を解決するための手段】
【０００６】
本発明は、上述の課題の少なくとも一部を解決するためになされたものであり、以下の形態または適用例として実現することが可能である。
【０００７】
［適用例１］浴室用のプロジェクションシステムであって、浴室内に画像を投影する第１の投影装置と、前記第１の投影装置を制御する制御装置と、収容する入浴剤の種類を示す識別コードが埋め込まれた入浴剤容器から前記識別コードを読み取る読取装置と、入浴剤の種類に対応するコンテンツデータを記録する記録装置と、を含み、前記制御装置は、前記読み取られた識別コードに対応するコンテンツデータを前記記録装置から取得し、前記取得したコンテンツデータの画像を前記第１の投影装置に投影させることを特徴とするプロジェクションシステム。
【０００８】
この構成によれば、入浴剤容器に埋め込まれた識別コードに対応するコンテンツデータの画像を浴室内に投影することにより、入浴剤の種類に応じたコンテンツの画像が浴室内に映し出されるので、入浴剤に合った快適な入浴環境を浴室内に作り出すことができる。
【０００９】
［適用例２］上記プロジェクションシステムにおいて、前記浴室内に画像を投影する第２の投影装置をさらに備え、前記第１の投影装置は、前記浴室の壁面に対して画像を投影し、前記第２の投影装置は前記浴室の浴槽に対して画像を投影することを特徴とするプロジェクションシステム。
【００１０】
この構成によれば、浴室の壁面だけでなく、浴槽についても入浴剤に合った画像が投影されるため、浴室内全体でより快適な雰囲気を作り出すことができる。
【００１１】
［適用例３］上記プロジェクションシステムにおいて、前記浴室の壁面に対して画像を投影する投影装置は、壁面の周辺に取り付けられ、前記壁面に入射させる光を前記壁面に沿う方向に進行させることを特徴とするプロジェクションシステム。
【００１２】
この構成によれば、投影装置から壁面に投影される光が浴室内を進行する距離は短くなるので、壁面に投影される画像が浴室内の湯気によって投影画像に生じる揺らぎを低減することができる。
【００１３】
［適用例４］上記プロジェクションシステムにおいて、前記コンテンツデータには、入浴剤の種類に対応する音声のデータが含まれ、前記コンテンツデータの音声を出力する音声出力装置、をさらに備えることを特徴とするプロジェクションシステム。
【００１４】
この構成によれば、入浴剤の種類に応じたコンテンツの音声が浴室内に出力されるので、さらに快適な浴室内の入浴環境を簡単に作り出すことができる。
【００１５】
［適用例５］浴室内に画像を投影する第１の投影装置と、入浴剤の種類に対応するコンテンツデータを記録する記録装置と、を含むプロジェクションシステムの表示制御方法であって、収容する入浴剤の種類を示す識別コードが埋め込まれた入浴剤容器から前記識別コードを読み取り、前記読み取った識別コードに対応するコンテンツデータを前記記録装置から取得して、前記取得したコンテンツデータの画像を前記第１の投影装置に投影させることを特徴とするプロジェクションシステムの表示制御方法。
【００１６】
このようにすれば、入浴剤の種類に応じたコンテンツの画像が浴室内に映し出されるので、入浴剤に合った快適な入浴環境を浴室内に作り出すことができる。
【図面の簡単な説明】
【００１７】
【図１】本実施例に係るプロジェクションシステムの概略図。
【図２】プロジェクションシステムの構成を示す図。
【図３】第１プロジェクターの断面構成を示す図。
【図４】光学エンジンの構成を示す図。
【図５】入浴剤容器の一例を示す図。
【図６】プロジェクションシステムの動作手順を示すフローチャート。
【発明を実施するための形態】
【００１８】
以下、本発明の実施の形態について実施例に基づいて説明する。
【００１９】
図１は、本実施例に係るプロジェクションシステムの概略図である。図１に示すように、プロジェクションシステム１は浴室Ｒに対して設けられている。本実施例のプロジェクションシステム１は、浴室Ｒ内の壁面Ｗや浴槽Ｂに映像を投影することによって、浴室Ｒ内にリラックスできる好適な雰囲気を作り出し、快適な入浴環境を作り出そうとするものである。
【００２０】
図２に、プロジェクションシステム１の構成を示す。図２に示すように、プロジェクションシステム１は、コントロールパネル装置（読取装置）１０と、第１プロジェクター（第１の投影装置）２０と、第２プロジェクター（第２の投影装置）３０と、スピーカー装置（音声出力装置）４０と、制御装置５０と、コンテンツサーバー（記録装置）６０とを含む。なお、制御装置５０は、各装置１０〜４０を制御して浴室内環境をコントロールする装置であり、インターネットＮ等を介して、様々なコンテンツデータを管理するコンテンツサーバー６０とデータ通信可能になっている。以下、システムの各装置について説明する。
【００２１】
コントロールパネル装置１０は、入浴者等のユーザーからの操作を受けるための装置であり、各種の操作スイッチ１１およびバーコードリーダー１２を有している。
【００２２】
次に、第１プロジェクター２０について説明する。第１プロジェクター２０は、浴室Ｒ内の壁面Ｗに画像を投影するためのものである。図３は、第１プロジェクター２０の断面構成を示す図である。図３に示すように、第１プロジェクター２０は、光学エンジン２１と、投写レンズ２２と、第１ミラー２３と、第２ミラー２４とを有する。
【００２３】
図４に、光学エンジン２１の概略構成を示す。図４に示すように、光学エンジン２１は、赤光（Ｒ光）、緑光（Ｇ光）、青光（Ｂ光）の各色用ＬＥＤ２１０Ｒ，２１０Ｇ，２１０Ｂと、コリメータレンズ２２０Ｒ，２２０Ｇ，２２０Ｂと、空間光変調装置２３０Ｒ，２３０Ｇ，２３０Ｂと、クロスダイクロイックプリズム２４０を有する。
【００２４】
ＬＥＤ２１０Ｒは、Ｒ光を供給する固体光源である。ＬＥＤ２１０ＲからのＲ光は、コリメータレンズ２２０Ｒで平行化された後、空間光変調装置２３０Ｒに入射する。空間光変調装置２３０Ｒは、Ｒ光を画像信号に応じて変調する透過型の液晶表示装置である。空間光変調装置２３０Ｒで変調されたＲ光は、色合成光学系であるクロスダイクロイックプリズム２４０に入射する。
【００２５】
ＬＥＤ２１０Ｇは、Ｇ光を供給する固体光源である。ＬＥＤ２１０ＧからのＧ光は、コリメータレンズ２２０Ｇで平行化された後、空間光変調装置２３０Ｇに入射する。空間光変調装置２３０Ｇは、Ｇ光を画像信号に応じて変調する透過型の液晶表示装置である。空間光変調装置２３０Ｇで変調されたＧ光は、クロスダイクロイックプリズム２４０に入射する。
【００２６】
ＬＥＤ２１０Ｂは、Ｂ光を供給する固体光源である。ＬＥＤ２１０ＢからのＢ光は、コリメータレンズ２２０Ｂで平行化された後、空間光変調装置２３０Ｂに入射する。空間光変調装置２３０Ｂは、Ｂ光を画像信号に応じて変調する透過型の液晶表示装置である。空間光変調装置２３０Ｂで変調されたＢ光は、クロスダイクロイックプリズム２４０に入射する。
【００２７】
クロスダイクロイックプリズム２４０には、互いに略直交するように配置された２つのダイクロイック膜２５０，２６０が形成されている。第１ダイクロイック膜２５０は、Ｒ光を反射し、Ｇ光およびＢ光を透過させる。一方、第２ダイクロイック膜２６０は、Ｂ光を反射し、Ｒ光およびＧ光を透過させる。これにより、クロスダイクロイックプリズム２４０は、それぞれ異なる側から入射したＲ光、Ｇ光およびＢ光を合成し、投写レンズ２２の方向へ出射する。クロスダイクロイックプリズム２４０で合成された光は投写レンズ２２によって投写される。
【００２８】
なお、光学エンジン２１としては、上述の構成に限られることなく、例えば、ＬＥＤ以外の固体光源を用いてもよいし、高圧水銀ランプ等のランプ光源からの光をロッドインテグレーターやフライアイレンズで均一化して、均一な平行光を光変調装置に入射する構成としてもよい。また、空間光変調装置としても、透過型の液晶表示装置に限られることなく、反射型の液晶表示装置、ＤＭＤ（Digital Micromirror Device）、ＧＬＶ（Grating Light Value）等を用いてもよい。
【００２９】
図３の説明に戻って、第１ミラー２３は、投写レンズ２２および第２ミラー２４に対向する位置に設けられている。第１ミラー２３は、投写レンズ２２からの光を反射により折り曲げて第２ミラー２４に向けて進行させる。
【００３０】
第２ミラー２４は、第１ミラー２３に対向する位置であって、第１プロジェクター２０を箱状に囲む筐体の内側、壁面Ｗとは反対となる面に設けられている。第２ミラー２４の反射面は、壁面Ｗの方向に向けて凸状となる曲面形状をしており、第１ミラー２３からの光を反射することにより、主に水平方向に光を広角化する。こうして、投写レンズ２２だけでなく、さらに第２ミラー２４によって光を広角化することにより、投写レンズ２２から投影面までの距離を短縮できる、また、投写レンズ２２のみによって広角化する場合に比べると、投写レンズ２２の小型化、軽量化を図ることができる。
【００３１】
また、第２ミラー２４によって反射された光は壁面Ｗに沿う方向に進行する。すなわち、壁面Ｗに対して寝かせた光が進行する。これにより、第２ミラー２４で反射した光は、第１プロジェクター２０の出射側に設けられたガラス等の透明部材２５を透過して、壁面Ｗを照射する。
【００３２】
こうして、光学エンジン２１から出射された光を第１ミラー２３、第２ミラー２４で順次反射させることによって、第１プロジェクター２０は、空間光変調装置２３０で変調した画像光を浴室内の壁面Ｗに入射させ、壁面Ｗに画像を投影する。なお、第１プロジェクター２０は浴室の壁面Ｗ周辺に設置されており、壁面Ｗに沿う方向に投写光を進行させるので、例えば、壁面Ｗの対面から投射する場合に比べて、画像光が浴室内を通過する距離は短くなる。これにより、浴槽Ｂのお湯から出る湯気によって壁面Ｗに投影された画像に生じる揺らぎを低減している。
【００３３】
また、第２プロジェクター３０は、浴室内の浴槽Ｂに画像を投影するためのものであり、浴槽Ｂに向けて画像光を投影するよう設置されている。すなわち、第２プロジェクター３０は、投写レンズからの画像光を浴槽Ｂに入射させることにより、浴槽Ｂに画像を投影する。なお、第２プロジェクター３０は、光学エンジンおよび投写レンズを備えており、光学エンジンおよび投写レンズについては第１プロジェクター２０のものと同様の構成であるため、第２プロジェクター３０についての詳細な説明を省略する。
【００３４】
スピーカー装置４０は、制御装置５０からの制御に応じて浴室内に音声を出力する装置である。
【００３５】
次に、制御装置５０について説明する。図２に示すように、制御装置５０は、パネル制御部５１と、通信制御部５２と、第１プロジェクター制御部５３と、第２プロジェクター制御部５４と、スピーカー制御部５５と、コンテンツデータ取得部５６と、コンテンツデータ記憶部５７と、コンテンツ再生部５８と、を有する。
【００３６】
パネル制御部５１はコントロールパネル装置１０の制御を行う部分である。具体的には、操作スイッチ１１への操作の入力処理や、バーコードリーダー１２がバーコードを読み取った読取データを取得する処理等を実行する。
【００３７】
通信制御部５２は、インターネットＮに接続する部分であり、インターネットＮを介したコンテンツサーバー６０とのデータ通信を制御する。
【００３８】
第１プロジェクター制御部５３は、第１プロジェクター２０による画像の投影を制御する部分である。第２プロジェクター制御部５４は、第２プロジェクター３０による画像の投影を制御する部分である。スピーカー制御部５５は、スピーカー装置４０による音声出力を制御する部分である。
【００３９】
ここで、本プロジェクションシステム１において用いられる入浴剤容器について説明する。図５は、入浴剤容器の一例を示した図である。入浴剤容器１００は、容器内部に入浴剤を収容した袋状の構造であり、容器外側にはバーコード１１０が記録されている。このバーコード１１０は、内部に収容した入浴剤の種類を識別するためのコードを所定のコード形式で表している。すなわち、入浴剤容器１００には入浴剤の種類に対応する識別コードが埋め込まれている。この入浴剤容器１００のバーコード１１０は、浴槽のお湯に入浴剤が入れられる際等に、上述したコントロールパネル装置１０のバーコードリーダー１２によって読み取られる。
【００４０】
コンテンツデータ取得部５６は、コントロールパネル装置１０からバーコードの読取データを受け取り、読取データに基づいて入浴剤の種類に対応するコンテンツデータを取得する。具体的には、読取データを識別コードに変換し、識別コードに対応するコンテンツデータを、コンテンツサーバー６０からダウンロードする処理を行う。ここで、コンテンツサーバー６０には、例えば、入浴剤が想定する温泉地の風景画像と音、森林の風景画像と音等のコンテンツデータが、入浴剤の種類と対応付けて予め記憶されている。したがって、コンテンツデータ取得部５６は、浴槽Ｂに入れられる入浴剤の色や匂いに合ったコンテンツデータを取得する。なお、コンテンツデータ取得部５６は、いったんダウンロードしたコンテンツデータを、識別コードと対応付けてコンテンツデータ記憶部５７に記憶し、以後、同じコンテンツデータをダウンロードし直す必要がないよう管理する。
【００４１】
コンテンツ再生部５８は、コンテンツデータのコンテンツを再生する処理を行う。なお、コンテンツサーバー６０から取得したコンテンツデータには、壁面投影用の映像データ、浴槽投影用の映像データ、音声データが含まれている。壁面投影用の映像を再生した画像のデータは、第１プロジェクター制御部５３を介して、第１プロジェクター２０に出力される。浴槽投影用の映像を再生した画像のデータは、第２プロジェクター制御部５４を介して、第２プロジェクター３０に出力される。再生した音声のデータは、スピーカー制御部５５を介して、スピーカー装置４０に出力される。こうして、入浴剤の種類に応じたコンテンツの映像および音声が浴室内に出力される。
【００４２】
次に、上述したプロジェクションシステム１の動作について、図６のフローチャートに従って説明する。
【００４３】
例えば、入浴しようとする者が、入浴剤容器１００を開封して入浴剤を浴槽Ｂに入れた後等に、コントロールパネル装置１０の操作スイッチ１１を操作することによって、浴室内の環境を設定する旨を指示すると、図６の処理が開始される。
【００４４】
図６の処理を開始すると、まず、コントロールパネル装置１０のバーコードリーダー１２は、入浴剤容器１００のバーコード１１０を読み取り、バーコード１１０の読取データを制御装置５０に出力する（ステップＳ１０）。
【００４５】
次に、制御装置５０のコンテンツデータ取得部５６は、コントロールパネル装置１０から受け取る読取データを解釈して入浴剤の識別コードを取得する（ステップＳ２０）。
【００４６】
次に、コンテンツデータ取得部５６は、識別コードに対応するコンテンツがダウンロード済であるか否かを判断する（ステップＳ３０）。ダウンロードされていなかった場合（ステップＳ３０：Ｎｏ）、コンテンツデータ取得部５６は、通信制御部５２を介して識別コードに対応するコンテンツデータをコンテンツサーバー６０に要求する（ステップＳ６０）。そして、要求したコンテンツデータをコンテンツサーバー６０からダウンロードして、コンテンツデータ記憶部５７に格納する（ステップＳ７０）。
【００４７】
次に、コンテンツ再生部５８は、取得したコンテンツデータを再生し、プロジェクター２０，３０による投影を制御する（ステップＳ５０）。ここでは、コンテンツ再生部５８は、再生したコンテンツ映像の壁面用画像データを第１プロジェクター制御部５３から第１プロジェクター２０に出力することにより、浴室の壁面Ｗに壁面用の映像が映し出される。また、再生したコンテンツ映像の浴槽用画像データを第２プロジェクター制御部５４から第２プロジェクター３０に出力することにより、浴室の浴槽Ｂに浴槽用の映像が映し出される。なお、再生したコンテンツ映像の音声データをスピーカー制御部５５からスピーカー装置４０に出力することにより、浴室内にはコンテンツの音声が出力される。
【００４８】
一方、識別コードに対応するコンテンツが過去にダウンロードされていた場合（ステップＳ３０：Ｙｅｓ）、該当するコンテンツデータは既にコンテンツデータ記憶部５７に記憶されているので、識別コードに対応するコンテンツデータをコンテンツデータ記憶部５７から読み出して取得する（ステップＳ４０）。その後、ステップＳ５０に進み、コンテンツ再生部５８によって、ダウンロードしたコンテンツの再生が行われる。
【００４９】
以上に述べたように、本実施例のプロジェクションシステム１では、入浴剤容器１００のバーコード１１０を読み取ることによって、入浴剤の種類に応じたコンテンツ映像の画像が浴室の壁面Ｗおよび浴槽Ｂに映し出される。これにより、入浴剤によるお湯の色や匂いに合った快適な雰囲気を浴室内に作り出すことができる。また、浴室内にはコンテンツの音声が出力されるので、さらに好適な雰囲気となる。したがって、入浴する者等は、入浴剤容器１００のバーコード１１０を読み取らせることによって、どのようなコンテンツが入浴剤に合っているかを考慮する必要がなく、入浴剤の種類、すなわちお湯の色や匂いに合った快適な入浴環境を簡単に作り出すことができる。
【００５０】
以上、実施の形態の一実施例について説明したが、実施の形態としては上述した全ての構成を備えたものに限られることなく、また、その趣旨に逸脱しない様々な形態としてもよい。以下、変形例について説明する。
【００５１】
（変形例１）上記実施例では、入浴剤容器１００に識別コードを埋め込むためにバーコードを用いるようにしたが、これに限られることなく、ＱＲコード（登録商標）等の２次元コードを用いるようにしてもよい。また、識別コードを記憶したＩＣタグを入浴剤容器に設け、ＩＣタグから識別コードを読み出す構成としてもよい。
【００５２】
（変形例２）上記実施例では、浴室の壁面Ｗおよび浴槽Ｂに対してコンテンツの画像を投影するようにしたが、浴室内の床面に投影するようにしてもよい。また、入浴剤によって濁ったお湯の界面に映像を投影するようにしてもよい。
【００５３】
（変形例３）上記実施例では、コンテンツサーバー６０からコンテンツデータ記憶部５７にコンテンツデータをダウンロードして再生するようにしたが、コンテンツサーバー６０から受信したコンテンツデータをストリーミング再生して、コンテンツデータがコンテンツデータ記憶部５７に残らないようにしてもよい。また、ＣＤ−ＲＯＭ等の記録媒体からコンテンツデータを読み出すことによって、コンテンツデータ記憶部５７にコンテンツデータを予め記録するようにし、コンテンツサーバー６０からダウンロードすることのない構成としてもよい。
【００５４】
（変形例４）上記実施例では、コントロールパネル装置１０、第１プロジェクター２０、第２プロジェクター３０、スピーカー装置４０の他に、これらを制御する制御装置５０を備えていたが、制御装置５０の機能を装置１０〜４０のいずれかに組み込んだシステムとしてもよい。
【符号の説明】
【００５５】
１…プロジェクションシステム、１０…読取装置としてのコントロールパネル装置、１１…操作スイッチ、１２…バーコードリーダー、２０…第１の投影装置としての第１プロジェクター、２１…光学エンジン、２２…投写レンズ、２３…第１ミラー、２４…第２ミラー、２５…透明部材、３０…第２の投影装置としての第２プロジェクター、４０…音声出力装置としてのスピーカー装置、５０…制御装置、５１…パネル制御部、５２…通信制御部、５３…第１プロジェクター制御部、５４…第２プロジェクター制御部、５５…スピーカー制御部、５６…コンテンツデータ取得部、５７…記録装置としてのコンテンツデータ記憶部、５８…コンテンツ再生部、６０…記録装置としてのコンテンツサーバー、１００…入浴剤容器、１１０…バーコード。
【図１】
2010191243.tif 000003
【図２】
2010191243.tif 000004
【図３】
2010191243.tif 000005
【図４】
2010191243.tif 000006
【図５】
2010191243.tif 000007
【図６】
2010191243.tif 000008